(57)【要約】【課題】防護柵が本来備えるべき機能を損なうことなく、長期に亘って積雪荷重によるビームの変形を抑制することができる積雪地用防護柵を提供する。【解決手段】支持金具１によって上段ビーム２が下段ビーム３により下方から支持されることで、上段ビーム２の位置が変わらないことから、防護柵が本来備えるべき機能を損なうことがなく積雪荷重による上段ビーム２の変形を抑制できるが、支持金具１の本体１１下端に設けられた把持部１３が下段ビーム３を把持し、本体１１上端に設けられた受け部１２によって下方から上段ビーム２を支持していることで、上段ビーム２が下方及び左右にずれる恐れが小さく、長期に亘って上段ビーム２の変形を抑制することができる。【選択図】        図１
2008144538.tif 000002
【特許請求の範囲】
【請求項１】
支柱間にビームが差し渡されて形成され、最上段に設けられた上段ビームと、その下方に設けられた下段ビームとの間に支持金具が設けられ、該支持金具は、本体の下端に設けられた把持部により下段ビームを把持すると共に、本体の上端に設けられた受け部により下方から上段ビームを支持するようになされていることを特徴とする積雪地用防護柵。
【請求項２】
前記支持金具は、平板状の本体板部と、本体板部の下端に半円状の半割把持部と、本体板部の上端に円弧状の半割受け部とが設けられた半割金具を二体用い、該半割金具を本体板部同士で固定して形成したものであることを特徴とする請求項１に記載の積雪地用防護柵。
【請求項３】
前記本体板部は、上下略全体に亘って本体板部と垂直方向に張り出されたリブ部が設けられていることを特徴とする請求項２に記載の積雪地用防護柵。
【請求項４】
前記下段ビームは、縦格子パネルの上面を形成しているものであることを特徴とする請求項１〜３のいずれかに記載の積雪地用防護柵。
【発明の詳細な説明】
【技術分野】
【０００１】
本発明は、支柱間にビームを差し渡して形成された防護柵において、積雪荷重に対する強度が高められた積雪地用防護柵に関するものである。
【背景技術】
【０００２】
支柱間にビームを差し渡して形成した防護柵は、支柱のピッチが一般に２〜４ｍで設けられることから、特に補強等がなされていない場合には鉛直方向に掛かる積雪荷重により、最上段のビームが変形する恐れがあった。かかる積雪荷重に対する対策としては、支柱間に設けるビームを縦格子パネルのものとしたり、ビームの外径や肉厚を大きくしたりする方法もあるが、材料費が嵩んだり、外観が不自然なものとなる恐れがあった。
【０００３】
そこで、上記のような方法以外で積雪荷重に耐えうるような防護柵として、例えばフエンス体と該フエンス体を支持する支柱とを有する積雪地用フエンスにおいて、前記フエンス体を上下方向可撓可能に構成し、前記フエンス体を弾性体により上方向に付勢して支柱に支持した積雪地用フエンスが開示されている（例えば特許文献１）。
【０００４】
【特許文献１】特開２００３−３１４０９２号公報
【発明の開示】
【発明が解決しようとする課題】
【０００５】
しかしながら、特許文献１に記載のような従来の積雪地用防護柵では、鉛直方向に荷重が掛かった場合に最上段のビームが下降することから、防護柵が本来備えるべき転落防止やＰ種強度等の機能が損なわれる恐れがあった。また弾性体が劣化すると上方向への付勢力が低下することから、長期に亘って積雪荷重によるビームの変形を防止できなくなる恐れもあった。
【０００６】
本発明は上記の如き課題に鑑みてなされたものであり、防護柵が本来備えるべき機能を損なうことなく、長期に亘って積雪荷重によるビームの変形を抑制することができる積雪地用防護柵を提供せんとするものである。
【課題を解決するための手段】
【０００７】
上記目的を達成するため、本発明は以下のような構成としている。すなわち、本発明に係わる積雪地用防護柵は、支柱間にビームが差し渡されて形成され、最上段に設けられた上段ビームと、その下方に設けられた下段ビームとの間に支持金具が設けられ、該支持金具は、本体の下端に設けられた把持部により下段ビームを把持すると共に、本体の上端に設けられた受け部により下方から上段ビームを支持するようになされていることを特徴とするものである。
【０００８】
本発明に係わる積雪地用防護柵によれば、支持金具によって上段ビームが下段ビームにより下方から支持されることで、上段ビームの位置が変わらないことから、防護柵が本来備えるべき機能を損なうことがなく積雪荷重によるビームの変形を抑制できるが、支持金具の本体下端に設けられた把持部が下段ビームを把持し、本体上端に設けられた受け部によって下方から上段ビームを支持していることで、上段ビームが下方及び左右にずれる恐れが小さく、長期に亘ってビームの変形を抑制することができる。
【０００９】
また前記支持金具は、平板状の本体板部と、本体板部の下端に半円状の半割把持部と、本体板部の上端に円弧状の半割受け部とが設けられた半割金具を二体用い、該半割金具を本体板部同士で固定して形成されたものであれば、防護柵に対して取り付けが簡便なものとでき、また既設の防護柵に対しても容易に適用することができ好ましい。
【００１０】
また前記本体板部は、上下略全体に亘って本体板部と垂直方向に張り出されたリブ部が設けられていれば、本体板部が板状体であって、上方からの積雪荷重が掛かった場合でもリブ部により本体板部の座屈が抑えられ、積雪荷重への強度を高めるようにでき好ましい。
【００１１】
また前記下段ビームは、縦格子パネルの上面を形成しているものであれば、支持金具を支える下段ビームに変形が生じる恐れを格段に小さくでき、長期に亘って積雪荷重によるビームの変形を抑制することができ好ましい。
【発明の効果】
【００１２】
本発明に係わる積雪地用防護柵によれば、支持金具によって上段ビームが下段ビームにより下方から支持されることで、上段ビームの位置が変わらないことから、防護柵が本来備えるべき機能を損なうことがなく積雪荷重によるビームの変形を抑制できるが、支持金具の本体下端に設けられた把持部が下段ビームを把持し、本体上端に設けられた受け部によって下方から上段ビームを支持していることで、上段ビームが下方及び左右にずれる恐れが小さく、長期に亘ってビームの変形を抑制することができる。
【発明を実施するための最良の形態】
【００１３】
本発明に係わる最良の実施の形態について、図面に基づき以下に具体的に説明する。
【００１４】
図１は、本発明に係わる積雪地用防護柵の、実施の一形態を示す斜視図である。まず積雪地用防護柵１０は、支柱４間に防護柵用の手摺として設けられた上段ビーム２と、上段ビーム２の下方に縦格子パネルＴが差し渡されて設けられており、縦格子パネルＴの上面を形成する横梁が上段ビーム２の直下に位置する下段ビーム３となされている。上端ビーム２と下段ビーム３との間には、支柱４間のほぼ中央において上下方向に支持金具１が取り付けられている。支持金具１は亜鉛めっき鋼板を用いて形成されたものであり、板状の本体１１の上端に受け部１２が上段ビーム２下半分を受ける状態で設けられ、本体１１の下端に把持部１３が、下段ビーム３の略全体を囲む状態で下段ビーム３を把持して設けられている。上段ビーム２と下段ビーム３とのピッチは１５０ｍｍであり、本体１１の長さはそのピッチに合わせて設定されると共に、受け部１２及び把持部１３の曲面も上段ビーム２及び下段ビーム３の外形に合わせて各々の外面に沿う形に近い形状に設定されている。
【００１５】
図２は、支持金具１の詳細を示す説明図であり、（ａ）は取り付け状態を示す斜視図、（ｂ）は取り付け後の本体１の横断面を示す断面図である。支持金具１は、半割金具１４を二体用いて形成され、半割金具１４は亜鉛めっき鋼板を曲げ加工して形成したものであり、平板状の本体板部１５の上端にＲ曲げにより断面円弧状の半割受け部１６が設けられ、本体板部１５の下端にもＲ曲げにより断面半円状の半割把持部１７が設けられている。本体板部１５には上下二箇所に固定用のボルトが挿入される角穴であるボルト孔１５１が貫通して設けられると共に、本体板部１５の一方の側縁が曲げ加工されることで、本体板部１５の上下略全体に亘って本体板部１５と垂直方向に張り出されたリブ部１５２が設けられている。
【００１６】
この同一形状の半割金具１４を二体用い、上段ビーム２及び下段ビーム３の正面及び背面から上段ビーム２に半割受け部１６を、下段ビーム３に半割把持部１７を当てがいつつ本体板部１５同士を重ね合わせ、各々の対応する位置に設けられたボルト孔１５１に角根ボルトである取付ボルトＢを挿入し、ナットＮを螺着して固定することで上端ビーム２と下段ビーム３との間に支持金具１が設けられる。かかる半割金具１４を二体用いることで、防護柵が既設のものであって、上端ビーム２と下段ビーム３との間隔を変更するのが困難である場合であっても、防護柵の正面及び背面から夫々半割金具１４を重ね合わせてボルト止めすることで、受け部１２及び把持部１３が邪魔になることなく容易に適用することが可能とできる。また本体板部１５が重ね合わされることで二枚の本体板部１５により積雪荷重を支持することができる。
【００１７】
受け部１２は、上段ビーム２を受けることが可能な程度、前後に円弧状に張り出されていればよいが、あまり上段ビーム２を覆う割合が大きくなると、上段ビーム２が荷重を受けて揺動した場合に受け部１２の両側縁と上段ビーム２とが擦れて上段ビーム２の塗装や鋼材を削り取る恐れがあり、反対に上段ビーム２を覆う割合が小さくなると受け部１２から上段ビーム２が外れてしまう恐れがある。受け部１２を設ける割合としては、上段ビーム２の下方１／２〜１／１０程度としておくのが好ましく、より好ましくは上段ビームの下方１／４〜１／８程度である。
【００１８】
把持部１３については下段ビーム３を変形しない程度にできるだけ強固に把持できれば好ましく、下段ビーム３の全周かそれに近い範囲を覆って設けるのが好ましいが、半割金具１４を用いる場合には、半割金具１４及び下段ビーム３の寸法バラツキを考慮して、下段ビーム３への取り付け後に半割把持部１７の先端同士に隙間が開くようにしておくのが好ましい。
【００１９】
次に（ｂ）において、リブ部１５２は本体板部１５の一方の側縁に設けられ、半割金具１４の二体が表裏逆に取り付けられることで、平板状の本体板部１５同士が重ね合わされる際にリブ部１５２が邪魔になることがなく、ボルト止めにおいてナットＮを強く締め付けても本体板部１５が変形する恐れがなくされている。リブ部１５２が設けられていない場合、本体板部１５が平板状であることから上方からの荷重により防護柵の正面又は背面に向かって本体板部１５が折れ曲がって座屈し易くなるが、リブ部１５２が本体板部１５と垂直方向に張り出されていることで上段ビーム２に掛かる積雪荷重に本体板部１５が対抗する力を格段に高めることができる。
【００２０】
また、ボルト孔１５１が角穴となされ、ボルト孔１５１に角根部Ｂ１が設けられたボルトＢが挿通されることで、ボルト孔１５１に角根Ｂ１が嵌着されてナットＮの締め付け時にボルトＢが共回りする恐れがなく取り付け時の作業性が向上される。更に本体板部１５の重ね合わせ時の厚みと、角根部Ｂ１の厚みとを適宜設定、例えば角根部Ｂ１の厚みを大きくしておくことで、ボルトＢ又はナットＮの締め付け過ぎを防止し、ボルト孔１５１付近の本体板部１５が変形して積雪荷重が掛かった際の応力集中を招き、座屈の原因になるといった事態を未然に防ぐこともできる。
【００２１】
支持金具１は、亜鉛めっき鋼板に限定されず適宜の材料を用いて形成できるが、積雪荷重に耐えうる高い強度を有する金属材料を用いて形成するのが好ましく、鉄鋼の他に、ステンレス、アルミニウム合金等を好適に用いることができる。また上記の金属材料を用いることで、曲げ加工が容易なものとなり、上記の如く一枚の金属板を曲げ加工して半割金具１４を形成するのが容易なものとなり得る。
【００２２】
図３は、本発明に係わる積雪地用防護柵の、変形の例を示す斜視図である。まず（ａ）は支柱間に横梁のみが設けられた防護柵に支持金具を取り付けたものであり、下方のビーム間に行くにつれ取り付けられた支持金具の数が増えるようになされたものである。支柱４間に上段ビーム２及び上側の下段ビーム３１及び下側の下段ビーム３２が差し渡されて設けられており、上段ビーム２と下段ビーム３１との間には支柱４間のほぼ中央に支持金具１が取り付けられており、上側の下段ビーム３１との下側の下段ビーム３２との間には、支柱４間を三分する位置に二体の支持金具１が取り付けられている。かかる構成により、上段ビーム２から上側の下段ビーム３１に伝えられた積雪荷重が、更に下側の下段ビーム３２に分散して伝えられることで、各々のビームに積雪荷重が分散されて積雪荷重によるビームの変形を抑制できるようになされている。
【００２３】
次に（ｂ）は、縦格子パネル以外のパネルを用いた場合を示すもので、上段ビーム２と下段ビーム３との間には支持金具１が取り付けられ、下段ビーム３の下方にはフェンス枠内に縦横に線材が設けられたメッシュパネルＭが取り付けられている。かかるメッシュパネルＭは線材により上方からの荷重に対する強度が高められており、下段ビーム３に伝えられた積雪荷重を下方から十分に支え得るようになされている。下段ビーム３の下方に設けられるパネルとしては縦格子パネルやメッシュパネル以外にも、他に防音パネルやフェンス枠にアルミ樹脂積層板の面板を嵌め込んだもの等であれば、上方からの荷重に対する耐力が高く好適に用いることができる。
【００２４】
更に（ｃ）は、（ａ）と同じく支柱間に横梁のみが設けられた防護柵に支持金具を取り付けたものであるが、上段ビーム２と上側の下段ビーム３１との間、及び上側の下段ビーム３１と下側の下段ビーム３２との間の、それぞれ支柱４間の中央付近に支持金具１が取り付けられ、最下段の下側の下段ビーム３２と地表面との間に下支え部材Ｓが設けられている。下支え部材Ｓは、下側の下段ビーム３２を受けるビーム受け部Ｓ１と、地表に設置されたベース部Ｓ３との間に高さ調整が可能な二体の支柱部Ｓ２が設けられたものである。下段ビーム３１及び３２間に設けられた支持金具１がビーム受け部Ｓ１上に設けられていることで、上段ビーム２に掛かる積雪荷重は支持金具１を介して下支え部材Ｓにより支承され、ビームの変形の恐れを格段に小さいものとすることができる。
【図面の簡単な説明】
【００２５】
【図１】本発明に係わる積雪地用防護柵の、実施の一形態を示す斜視図である。
【図２】支持金具の詳細を示す説明図である。
【図３】本発明に係わる積雪地用防護柵の、変形の例を示す斜視図である。
【符号の説明】
【００２６】
１    支持金具
１１  本体
１２  受け部
１３  把持部
１４  半割金具
１５  本体板部
１５２  リブ部
１６  半割受け部
１７  半割把持部
２    上段ビーム
３    下段ビーム
４    支柱
１０  積雪地用防護柵
Ｔ    縦格子パネル
【図１】
2008144538.tif 000003
【図２】
2008144538.tif 000004
【図３】
2008144538.tif 000005